【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
前面片（２７）と、
２つのイヤピース（３２，３３）であって、対応するイヤピース（３２，３３）を前記前面片（２７）に対して回転させるようになされた第１および第２のヒンジ（２，３）により、前記イヤピース（３２，３３）が前記前面片（２７）に対して直角である第１の位置から、前記イヤピース（３２，３３）が前記前面片（２７）に対して略平行でありかつその上側及び下側に位置する第２の位置へ向けて移動するように、前記前面片（２７）に回転自在に連結された２つのイヤピース（３２，３３）と、を備える眼鏡フレーム(1)であって、
前記イヤピース（３２，３３）は、前記第２の位置において前記前面片（２７）を一時的に保持するように半貝殻形状である、
ことを特徴とする眼鏡フレーム。
【請求項２】
前記イヤピース（３２，３３）は、前記第２の位置において長手方向で一致してシェル体（４０）を形成する、
ことを特徴とする請求項１の眼鏡フレーム。
【請求項３】
前記第１および第２のヒンジ（２，３）は、各々、前記イヤピース（３２，３３）に回転自在に連結され、前記前面片（２７）に連結された第２の中空本体（１５）内で回転自在に移動可能である第１の本体（４）から作られている、
ことを特徴とする請求項１又は２の眼鏡フレーム。
【請求項４】
弾性適合要素（２６）が、好適には、円筒状の圧縮回転体ばねで構成され、前記第２の本体（１５）の第１のキャビティ（１７）内に収容され、第１のキャビティ（１７）に固定され、前記第１及び第２の位置の選択された位置に自身を保持すべく、前記第１の本体（４）に接触した状態で設置されている、
ことを特徴とする請求項３の眼鏡フレーム。
【請求項５】
前記第１の本体（４）は、ほぼ円筒状の第１の連結用脚（５）を備え、第１の連結用脚（５）から、第１の平坦な端部６の近傍で、好適には円筒状のブロックポイント（７）が半径方向に突出し、前記第１の連結用脚（５）は、キャビティ（１７）の中へ収容され、このキャビティ（１７）は、前記第２の中空本体（１５）において第２の円筒状の脚（１６）の第１の端部で同軸状に開口している、
ことを特徴とする請求項３又は４の眼鏡フレーム。
【請求項６】
第１のキャビティ１７の横方向の面は、特定の領域のアーチに亘り延在し、その両端において第１のハウジング（２０ａ）と第２のハウジング（２０ｂ）を画成している、直線およびループ状の溝（２０）で構成された第１の周方向の案内（１９）を有する、
ことを特徴とする請求項５の眼鏡フレーム。
【請求項７】
前記第１及び第２のハウジングは、前記第１のキャビティ（１７）の長手方向の軸線に対して、約９０°回転して配置されている、
ことを特徴とする請求項６の眼鏡フレーム。
【請求項８】
前記溝（２０）の幅は、連結用の第１のハウジング（２０ａ）及び第２のハウジング（２０ｂ）の中央の直線部分で、そこでの前記第１のブロック（１７）の摺動を可能にすべく、前記第１のブロック（１７）の直径より僅かに大きく、
前記第１のブロックポイント（７）が前記第１のハウジング（２０ａ）内に収容される前記第１の位置から、前記第１のブロックポイント（７）が前記第２のハウジング（２０ｂ）に収容される前記第２の位置まで、選択的に通過するように、前記第１の本体（４）が回転自在に前記第２の本体（１５）に連結される際には、前記第１のキャビティ（１７）の長手方向軸線に関する回転が可能であり、
前記第１及び第２のハウジング（２０ａ，２０ｂ）は、前記第２のハウジングの中への選択的な収容を可能にすべく、前記第１のブロック（７）に対応する形状をもつ、
ことを特徴とする請求項７の眼鏡フレーム。
【請求項９】
前記第１の脚（５）の第２の端部には、「Ｔ」形状で、前記第１の連結用脚（５）より大きな直径を有する円筒状頭部を規定し、第１の軸方向フィン（１０）が突出する、第２のブロックポイント（９）が備わっている
ことを特徴とする請求項５ないし８のいずれかの眼鏡フレーム。
【請求項１０】
前記第１の軸方向フィン（１０）は、前記第１の脚（５）の直径に位置付けられ、そして、交差し、前記第１の脚（５）の長手方向の軸線及び前記第１のブロックポイント（７）により規定される面に対して直交する第１のループ穴を有する、
ことを特徴とする請求項９の眼鏡フレーム。
【請求項１１】
前記第１のフィン（１０）の自由端は、前記第１の脚（５）に交差し、湾曲部分（１４）により第２のブロック面（１３ａ）に連結された、第１の平坦なブロック面（１３）を前方で画定し、
前記第２のブロック面（１３ａ）は、前記第１のブロックが突出している側に面し、前記第１のフィン（１０）の側壁で構成されている、
ことを特徴とする請求項３ないし１０のいずれかの眼鏡フレーム。
【請求項１２】
コードに係る第２のフィン（２１）が前記第２の脚（１６）の第２の平坦な端部（２２）から突出し、母線に沿って発展する円形アーチ状の断面形状を有している、
ことを特徴とする請求項５ないし１０のいずれかの眼鏡フレーム。
【請求項１３】
前記第２のフィン（２１）が、前記第２の脚（１６）の長手方向の軸線に対向する第１の平坦な側部（２３）を有している、
ことを特徴とする請求項１２の眼鏡フレーム。
【請求項１４】
ベアリング（２６）が、好適には、円筒状に形状付けられ、第２の穴が軸線方向にネジ形成され、前記第１の平坦な側（２３）ら直角に突出し、前記第１のハウジング（２０ａ）と同じ方向を向いている、
ことを特徴とする請求項１３の眼鏡フレーム。
【請求項１５】
前記各ヒンジ（３２，３３）の前記第１のハウジング（２０ａ）は、前記前面片（２７）から下方に面し、そして、それに直角である、
ことを特徴とする請求項６ないし１４のいずれかの眼鏡フレーム。
【請求項１６】
前記第１のヒンジ（２）は、前記前面片（２７）に対して上方に面する前記第２のハウジング（２０ｂ）を有し、一方、前記第２のヒンジ（３）は下方に面しているハウジング（２０ｂ）を有する、
ことを特徴とする請求項６ないし１５のいずれかの眼鏡フレーム。
【請求項１７】
前記イヤピース（３２，３３）の各々は、内側に凸のプロフィールを有する前方の面（３４）と、前記前方の面に対に形状付けられ、凹形の内側プロフィールを有する後方の面（３５）とを有し、前記イヤピース（３２，３３）は、長手方向に重ねられると、相互に一致して前記前方片（２７）のためのハウジングを形成する、
ことを特徴とする先行する請求項のいずれかの眼鏡フレーム。
【請求項１８】
前記第１および第２のイヤピース（３２，３３）は、それらの前端部（３６）の一つに、第３のハウジング（３７）を有し、該第３のハウジングは挿入を許容すべく開口しており、そして、前記第１の本体（７）の前記第１のフィン（１０）の一つより僅かに厚い、ことを特徴とする先行する請求項のいずれかの眼鏡フレーム。
【請求項１９】
前記第３のハウジングには、お互いに面し、そして前記第３のハウジング（３７）の上側および下側の基部から第３のハウジングの内部に向かって突出している一対の第１のピン（３８）が備えられている
ことを特徴とする請求項１８の眼鏡フレーム。
【請求項２０】
前記第１のピン（３８）は、好ましくは円筒状であり、前記第１のフィンの前記第１の穴（１１）の直径よりも僅かに小さな直径を有しており、それらは前記第３のハウジング（３７）の中に収容されるように一旦挿入され得、前記イヤピース（３２，３３）と前記ヒンジ８２，３）の間に回動用の連結を形成する、
ことを特徴とする請求項１９の眼鏡フレーム。
【請求項２１】
前記第３のハウジング（３７）には、好ましくは平坦な底が備えられ、これに対して、各前記第１のフィン（１０）およびそれに直交する前記第２のブロック面（１３ａ）の前方に画成された第１のブロック面（１３）が選択的にブロックされ得る、
ことを特徴とする請求項１８ないし２０のいずれかの眼鏡フレーム。
【請求項２２】
取り外し可能な弾性のノーズピース（４１）が、前記前面片（２７）にその中央領域で接続され、前記前面片（２７）より大きい厚さを有し、前記イヤピース（３２，３３）の幅は、少なくともそれらの中央の領域において、前記ノーズピース（４１）の厚さより僅かに薄い、
ことを特徴とする先行する請求項のいずれかの眼鏡フレーム。
【請求項２３】
前記第１および第２のヒンジ（２，３）は、前記前面片（２７）から横方向に突き出るように設けられ、前記イヤピース（３２，３３）の長さは、前記第１および第２のヒンジ（２，３）の両端部の間の距離と等しい、あるいは、それよりも僅かに長い、
ことを特徴とする先行する請求項のいずれかの眼鏡フレーム。